(57)【特許請求の範囲】
【請求項１】
現像器に設けられる現像器の属性を記録したメモリから、情報を読取ることが可能な画像形成装置であって、
前記メモリに接続される電極と導通を取ることにより、前記メモリに記録された情報を読取るための接点と、
前記接点に電圧をかけた状態で前記メモリの電極と前記接点とを相対的に移動させることで、メモリの読取可能位置を探索する探索手段と、
前記探索手段により探索されたメモリの読取可能位置で、前記メモリから情報の読取りを行なう読取手段と、
前記探索手段で探索されたメモリの読取可能位置を記憶する記憶手段と、
次回のメモリの読取位置を、前記記憶手段で記憶された位置に変更する変更手段とを備えた、画像形成装置。
【請求項２】
現像器に設けられる現像器の属性を記録したメモリから、情報を読取ることが可能な画像形成装置であって、
前記メモリに接続される電極と導通を取ることにより、前記メモリに記録された情報を読取るための接点と、
前記接点に電圧をかけた状態で前記メモリの電極と前記接点とを相対的に移動させることで、メモリの読取可能位置を探索する探索手段と、
前記探索手段により探索されたメモリの読取可能位置で、前記メモリから情報の読取りを行なう読取手段とを備え、
メモリの読取可能位置と、読取が不可能な位置とを記憶し、次回の読取位置をそれら位置の略中心に変更する、画像形成装置。
【請求項３】
前記探索手段は、１回目の読取りで前記メモリの電極と前記接点とが導通せず再読取を行なう際に、前記接点に電圧をかけた状態で読取可能位置を探索し、
前記読取手段は、前記探索手段により探索された位置で、前記メモリから情報の２回目の読取りを行なう、請求項１又は２に記載の画像形成装置。
【請求項４】
互いに異なる色の現像剤を収容した複数の現像器を有する現像ユニットと、
前記複数の現像器のうち、選択された現像器が潜像担持体に対向した現像位置を占めるように前記現像ユニットを回転させる駆動手段とをさらに備え、
前記探索手段で探索されたメモリの読取可能位置で、前記現像ユニットの回転を停止させる、請求項１から３のいずれかに記載の画像形成装置。
【請求項５】
前記接点の位置を移動させる移動手段をさらに備え、
前記探索手段で探索されたメモリの読取可能位置で、前記接点を停止させる、請求項１から３のいずれかに記載の画像形成装置。
【請求項６】
エラー情報を表示する表示手段をさらに備え、
読取可能な位置が存在しない場合、前記表示手段によりエラー表示をして、現像器を交換位置へ移動させる、請求項１から５のいずれかに記載の画像形成装置。
【請求項７】
現像器に設けられる現像器の属性を記録したメモリから、情報を読取ることが可能な画像形成装置の制御方法であって、
前記画像形成装置は、前記メモリに接続される電極と導通を取ることにより、前記メモリに記録された情報を読取るための接点を備え、
前記接点に電圧をかけた状態で前記メモリの電極と前記接点とを相対的に移動させることで、メモリの読取可能位置を探索する探索ステップと、
前記探索ステップにより探索されたメモリの読取可能位置で、前記メモリから情報の読取りを行なう読取ステップと、
前記探索ステップで探索されたメモリの読取可能位置を記憶する記憶ステップと、
次回のメモリの読取位置を、前記記憶ステップで記憶された位置に変更する変更ステップとを備えた、画像形成装置の制御方法。
【請求項８】
現像器に設けられる現像器の属性を記録したメモリから、情報を読取ることが可能な画像形成装置の制御方法であって、
前記画像形成装置は、前記メモリに接続される電極と導通を取ることにより、前記メモリに記録された情報を読取るための接点を備え、
前記接点に電圧をかけた状態で前記メモリの電極と前記接点とを相対的に移動させることで、メモリの読取可能位置を探索する探索ステップと、
前記探索ステップにより探索されたメモリの読取可能位置で、前記メモリから情報の読取りを行なう読取ステップと、
前記探索ステップで探索されたメモリの読取可能位置と、読取が不可能な位置とを記憶し、次回の読取位置をそれら位置の略中心に変更する変更ステップとを備えた、画像形成装置の制御方法。
【請求項９】
現像器に設けられる現像器の属性を記録したメモリから、情報を読取ることが可能な画像形成装置の制御プログラムであって、
前記画像形成装置は、前記メモリに接続される電極と導通を取ることにより、前記メモリに記録された情報を読取るための接点を備え、
前記接点に電圧をかけた状態で前記メモリの電極と前記接点とを相対的に移動させることで、メモリの読取可能位置を探索する探索ステップと、
前記探索ステップにより探索されたメモリの読取可能位置で、前記メモリから情報の読取りを行なう読取ステップと、
前記探索ステップで探索されたメモリの読取可能位置を記憶する記憶ステップと、
次回のメモリの読取位置を、前記記憶ステップで記憶された位置に変更する変更ステップとをコンピュータに実行させる、画像形成装置の制御プログラム。
【請求項１０】
現像器に設けられる現像器の属性を記録したメモリから、情報を読取ることが可能な画像形成装置の制御プログラムであって、
前記画像形成装置は、前記メモリに接続される電極と導通を取ることにより、前記メモリに記録された情報を読取るための接点を備え、
前記接点に電圧をかけた状態で前記メモリの電極と前記接点とを相対的に移動させることで、メモリの読取可能位置を探索する探索ステップと、
前記探索ステップにより探索されたメモリの読取可能位置で、前記メモリから情報の読取りを行なう読取ステップと、
前記探索ステップで探索されたメモリの読取可能位置と、読取が不可能な位置とを記憶し、次回の読取位置をそれら位置の略中心に変更する変更ステップとをコンピュータに実行させる、画像形成装置の制御プログラム。
【発明の詳細な説明】
【技術分野】
【０００１】
この発明は画像形成装置、画像形成装置の制御方法、および画像形成装置の制御プログラムに関し、特に現像器の属性をメモリから読出すことができる画像形成装置、画像形成装置の制御方法、および画像形成装置の制御プログラムに関する。
【背景技術】
【０００２】
画像形成装置（ＭＦＰ（Multi Function Peripheral）、ファクシミリ装置、複写機、プリンタなど）には、内部に現像器が設けられる。カラー画像形成装置であれば、複数色に応じたそれぞれの現像器が設けられる。現像器それぞれは、当該現像器の属性を記録したメモリ基板を有する。画像形成装置は、その内容を読取ることにより、現像器の属性を判断する。
【０００３】
特許文献１には、現像器内部に不揮発性メモリを搭載した画像形成装置において、接点が内蔵メモリ電極に当接する際、ＤＣモータにサーボロックを掛け、接点接触を確実にする技術が開示されている。同一位置で複数回、内蔵メモリへのデータ読み書きを行ない、全てにおいて通信が失敗するとエラーとするものである。
【特許文献１】特開２００４−１３８７１１号公報
【発明の開示】
【発明が解決しようとする課題】
【０００４】
メモリ基板の読取りは、基板の電極に接点を当て導通させることで行なわれる。基板や接点にごみやトナーなどが付着し、正しく導通しなかった場合は、検出不良となり再読取が必要となる。
【０００５】
上記特許文献１の技術においては、再読取が必要となった場合、基板の電極と接点が同一の箇所に位置する状態で再読取を行うため、基板や接点にごみやトナーが付着していた場合の検出率がきわめて低いという問題がある。
【０００６】
再読取を行なっても導通がない場合、現像器を抜き出して基板や接点を清掃するようユーザに指示が出されるため、ユーザにとって面倒であるという問題がある。
【０００７】
この発明はそのような問題点を解決するためになされたものであり、現像器からの情報の読取りを良好に行なうことができる画像形成装置、画像形成装置の制御方法、および画像形成装置の制御プログラムを提供することを目的としている。
【課題を解決するための手段】
【０００８】
上記目的を達成するためこの発明のある局面に従うと、画像形成装置は、現像器に設けられる現像器の属性を記録したメモリから、情報を読取ることが可能な画像形成装置であって、メモリに接続される電極と導通を取ることにより、メモリに記録された情報を読取るための接点と、接点に電圧をかけた状態でメモリの電極と接点とを相対的に移動させることで、メモリの読取可能位置を探索する探索手段と、探索手段により探索されたメモリの読取可能位置で、メモリから情報の読取りを行なう読取手段と、探索手段で探索されたメモリの読取可能位置を記憶する記憶手段と、次回のメモリの読取位置を、記憶手段で記憶された位置に変更する変更手段とを備える。
この発明の他の局面に従うと、画像形成装置は、現像器に設けられる現像器の属性を記録したメモリから、情報を読取ることが可能な画像形成装置であって、メモリに接続される電極と導通を取ることにより、メモリに記録された情報を読取るための接点と、接点に電圧をかけた状態でメモリの電極と接点とを相対的に移動させることで、メモリの読取可能位置を探索する探索手段と、探索手段により探索されたメモリの読取可能位置で、メモリから情報の読取りを行なう読取手段とを備え、メモリの読取可能位置と、読取が不可能な位置とを記憶し、次回の読取位置をそれら位置の略中心に変更する。
【０００９】
好ましくは探索手段は、１回目の読取りでメモリの電極と接点とが導通せず再読取を行なう際に、接点に電圧をかけた状態で読取可能位置を探索し、読取手段は、探索手段により探索された位置で、メモリから情報の２回目の読取りを行なう。
【００１０】
好ましくは画像形成装置は、互いに異なる色の現像剤を収容した複数の現像器を有する現像ユニットと、複数の現像器のうち、選択された現像器が潜像担持体に対向した現像位置を占めるように現像ユニットを回転させる駆動手段とをさらに備え、探索手段で探索されたメモリの読取可能位置で、現像ユニットの回転を停止させる。
【００１１】
好ましくは画像形成装置は、接点の位置を移動させる移動手段をさらに備え、探索手段で探索されたメモリの読取可能位置で、接点を停止させる。
【００１４】
好ましくは画像形成装置は、エラー情報を表示する表示手段をさらに備え、読取可能な位置が存在しない場合、表示手段によりエラー表示をして、現像器を交換位置へ移動させる。
【００１５】
この発明の他の局面に従うと画像処理装置の制御方法は、現像器に設けられる現像器の属性を記録したメモリから、情報を読取ることが可能な画像形成装置の制御方法であって、画像形成装置は、メモリに接続される電極と導通を取ることにより、メモリに記録された情報を読取るための接点を備え、接点に電圧をかけた状態でメモリの電極と接点とを相対的に移動させることで、メモリの読取可能位置を探索する探索ステップと、探索ステップにより探索されたメモリの読取可能位置で、メモリから情報の読取りを行なう読取ステップと、探索ステップで探索されたメモリの読取可能位置を記憶する記憶ステップと、次回のメモリの読取位置を、記憶ステップで記憶された位置に変更する変更ステップとを備える。
この発明の他の局面に従うと画像処理装置の制御方法は、現像器に設けられる現像器の属性を記録したメモリから、情報を読取ることが可能な画像形成装置の制御方法であって、画像形成装置は、メモリに接続される電極と導通を取ることにより、メモリに記録された情報を読取るための接点を備え、接点に電圧をかけた状態でメモリの電極と接点とを相対的に移動させることで、メモリの読取可能位置を探索する探索ステップと、探索ステップにより探索されたメモリの読取可能位置で、メモリから情報の読取りを行なう読取ステップと、探索ステップで探索されたメモリの読取可能位置と、読取が不可能な位置とを記憶し、次回の読取位置をそれら位置の略中心に変更する変更ステップとを備える。
【００１６】
この発明の他の局面に従うと画像処理装置の制御プログラムは、現像器に設けられる現像器の属性を記録したメモリから、情報を読取ることが可能な画像形成装置の制御プログラムであって、画像形成装置は、メモリに接続される電極と導通を取ることにより、メモリに記録された情報を読取るための接点を備え、接点に電圧をかけた状態でメモリの電極と接点とを相対的に移動させることで、メモリの読取可能位置を探索する探索ステップと、探索ステップにより探索されたメモリの読取可能位置で、メモリから情報の読取りを行なう読取ステップと、探索ステップで探索されたメモリの読取可能位置を記憶する記憶ステップと、次回のメモリの読取位置を、記憶ステップで記憶された位置に変更する変更ステップとをコンピュータに実行させる。
この発明の他の局面に従うと画像処理装置の制御プログラムは、現像器に設けられる現像器の属性を記録したメモリから、情報を読取ることが可能な画像形成装置の制御プログラムであって、画像形成装置は、メモリに接続される電極と導通を取ることにより、メモリに記録された情報を読取るための接点を備え、接点に電圧をかけた状態でメモリの電極と接点とを相対的に移動させることで、メモリの読取可能位置を探索する探索ステップと、探索ステップにより探索されたメモリの読取可能位置で、メモリから情報の読取りを行なう読取ステップと、探索ステップで探索されたメモリの読取可能位置と、読取が不可能な位置とを記憶し、次回の読取位置をそれら位置の略中心に変更する変更ステップとをコンピュータに実行させる。
【発明の効果】
【００１７】
これらの発明に従うと、現像器からの情報の読取りを良好に行なうことができる画像形成装置、画像形成装置の制御方法、および画像形成装置の制御プログラムを提供することが可能となる。
【発明を実施するための最良の形態】
【００１８】
以下、本発明の実施の形態の１つにおける画像形成装置について説明する。
【００１９】
本発明の実施の形態における画像形成装置は、現像器に付属しているメモリ基板の読取りに失敗し、１回目の読取りで検出ができず再読取りを行う場合、接点に電圧をかけた状態で読取可能位置を探し、その位置で検出を行なう。
【００２０】
すなわち画像形成装置は、接点に電圧をかけた状態で導通のある位置を探し、その位置で再読取りを行なう。これにより、確実に検出を行なうことができるという効果がある。
【００２１】
［第１の実施の形態］
【００２２】
図１は、本発明の第１の実施の形態における画像形成装置の構成を示す図であり、図２は、画像形成装置の制御構成の概略を示すブロック図である。
【００２３】
パソコンなどから画像形成装置にプリント指示が送られると、ＣＰＵ２０１は各ローラを駆動し用紙１０２を搬送するとともに、作像部（現像ユニット１０９および潜像担持体１１０）により画像を形成し印字を開始する。
【００２４】
給紙トレイ１０１上にセットされた用紙１０２は、給紙ローラ１０３、搬送ローラ１０４、転写ローラ１０６、定着ローラ１０７、および排紙ローラ１０８によって搬送される。
【００２５】
現像ユニット１０９のうち選択された色の現像器が現像位置に移動し、その現像剤が潜像担持体１１０へと移行し画像が形成され、転写ベルト１０５に１次転写される。
【００２６】
転写ベルト１０５上の未定着トナーは、転写ローラ１０６によって用紙１０２へ２次転写され、定着ローラ１０７によって定着され、排紙ローラ１０８で機外に排出される。
【００２７】
なお、図２に示されるようにＣＰＵ２０１には、接点３０４が接続され、これにより各色の現像器のそれぞれに設けられたメモリ基板３０３の電極を介して情報を読取る。
【００２８】
図３は、図１の画像形成装置の現像ユニット１０９の構成を示す図である。
【００２９】
図４は、現像器のメモリ基板の情報の読取りが行なわれている状態を示す図である。
【００３０】
ここでは現像ユニットとして、４サイクルの現像ユニットが用いられているものとする。
【００３１】
現像ユニット１０９は、各色の現像剤を収容した４つの現像器３０１（イエロー現像器３０１Ｙ、マゼンタ現像器３０１Ｍ、シアン現像器３０１Ｃ、およびブラック現像器３０１Ｋ）から構成される。現像器３０１には、各色の現像剤担持体３０２（イエロー現像剤担持体３０２Ｙ、マゼンタ現像剤担持体３０２Ｍ、シアン現像剤担持体３０２Ｃ、およびブラック現像剤担持体３０２Ｋ）が組み込まれている。
【００３２】
また、現像器３０１には、メモリ基板３０３（イエローメモリ基板３０３Ｙ、マゼンタメモリ基板３０３Ｍ、シアンメモリ基板３０３Ｃ、およびブラックメモリ基板３０３Ｋ）が備えられている。メモリ基板３０３は、本体側の接点３０４と接触し導通する。これにより画像形成装置は、当該現像器から属性を読出し、当該現像器の属性を知ることが出来る。
【００３３】
図３に示すように、印字を行なおうとする色の現像剤担持体３０２（ここではブラック現像剤担持体３０２Ｋ）が潜像担持体１１０に対向する位置にあるときを「現像位置」と定義する。図はブラックの現像位置を示している。
【００３４】
図４に示すように、メモリ基板３０３（ここではマゼンタメモリ基板３０３Ｍ）と接点３０４とが接触する位置にあるときを「検出位置」と定義する。図はマゼンタの検出位置を示している。
【００３５】
図５は、メモリ基板３０３の斜視図であり、図６は、接点３０４の斜視図である。
【００３６】
メモリ基板３０３および接点３０４のそれぞれには、３つの電極（端子）が備えられており、互いが接することで情報の読取りが行なわれる。
【００３７】
現像ユニット１０９は、図示しない現像ユニット駆動モータにより回転し、現像位置や検出位置に移動する。
【００３８】
画像形成装置は、メモリ基板３０３および接点３０４を接触させて１回目の検出（情報の読取り）を行なう。１回目の検出に失敗したとき、再読取が実行される。１回目の検出と再読取りとの両者は類似した動作をするため、ここでは再読取時の動作を中心に説明する。
【００３９】
図４に示す検出位置で１回目の検出を行う際、メモリ基板３０３や接点３０４にごみやトナーなどが付着し、正しく導通しない場合が考えられる。この場合、検出不良となり、再読取が必要となる。
【００４０】
そこで、現像ユニット１０９を規定パルス正転させた後、同パルス逆転させることが考えられるが、この場合、同一位置で再読取を行なうこととなるため、検出率が低くなる。
【００４１】
そこで本実施の形態においては、接点に電圧をかけた状態で読取可能位置を探すこととしている。これにより、メモリ基板再読取時の検出率を向上させることができる。
【００４２】
すなわち、再読取を行なう場合、接点３０４に電圧をかけた状態で読取可能位置を探し、読取可能位置で現像ユニット１０９を停止させて検出を行なう。これにより、読取位置におけるごみやトナーなどを避けることができ、検出率が向上するという効果がある。
【００４３】
図７は、画像形成装置の実行する現像器内のメモリ基板の読取り処理を示すフローチャートである。
【００４４】
先ず、ステップＳ１０１で第１色目の現像器３０１を検出位置へ移動し、ステップＳ１０３で、１回目のメモリ基板の検出を行なう。
【００４５】
検出に成功した場合（Ｓ１０５でＹＥＳ）、全色検出済みであれば（Ｓ１１７でＹＥＳ）、ステップＳ１１９で印字待機位置へ移動し、印字指示を待つ。
【００４６】
全色検出済みでない場合（Ｓ１１７でＮＯ）、ステップＳ１２１で次色の検出位置へ移動し、その色における１回目のメモリ基板の検出を行う（Ｓ１０３）。
【００４７】
検出に失敗した場合（Ｓ１０５でＮＯ）、接点３０４に電圧をかけた状態で（Ｓ１０７）、検出可能位置を探索する（Ｓ１０９）。導通があり検出可能な箇所がある場合（Ｓ１１１でＹＥＳ）、当該位置で再読取を行なう（Ｓ１０３、およびＳ１０５でＹＥＳ）。
【００４８】
導通がなく検出可能箇所がない場合（Ｓ１１１でＮＯ）、ステップＳ１１３で検出不良となった現像器３０１を交換位置まで移動して、ステップＳ１１５でエラー表示をする。
【００４９】
ユーザは、検出不良となった現像器３０１を取り出し、メモリ基板３０３と接点３０４との清掃を行なうことになる。
【００５０】
図８は、画像形成装置の実行する現像器内のメモリ基板の読取り動作を示す概略図である。
【００５１】
図においては、メモリ基板３０３の電極と、接点３０４との相対的な位置が示されている。
【００５２】
図８（Ａ）に示されるように、１回目の検出位置で検出に失敗したものとする。このとき、図８（Ｂ）に示されるように、１回目の検出位置から一度、メモリ基板３０３と接点３０４とが接触しない位置になるまで現像ユニット１０９を回転させる。
【００５３】
その後、図８（Ｃ）に示されるように、接点３０４に電圧をかけ、その状態で図８（Ｄ）に示されるように、再びメモリ基板３０３と接点３０４とを接触させる。
【００５４】
これにより、検出が可能となる位置で、２回目の検出を行なうことができる。
【００５５】
なお、１回目の検出で失敗したときに、その位置から接点３０４に電圧をかけ、現像ユニット１０９を移動させ、検出可能な位置を探すようにしても良い。
【００５６】
４サイクル方式のカラー機である画像形成装置の場合、接点３０４に電圧をかけた状態で現像ユニット１０９が回転する。図４に示す検出位置付近では、接点３０４とメモリ基板３０３は接触し、ごみやトナーが付着していない箇所では正常に導通することになる。
【００５７】
この位置で現像ユニット１０９を停止し、メモリ基板３０３の再読取を行えば、読取成功の確率が極めて高くなる。
【００５８】
なお、ここでは現像ユニット１０９を一度停止してメモリ基板３０３の読取りを行う例を示しているが、現像ユニット１０９を停止せず、回転中に読取りを行なう画像形成装置に対しても本発明を適用することができる。
【００５９】
［第２の実施の形態］
【００６０】
図９は、本発明の第２の実施の形態における画像形成装置の本体の構成を示す図である。
【００６１】
第２の実施の形態における画像形成装置は、４色の現像器を一列に配置したタンデム機である。
【００６２】
画像形成装置は、第１の実施の形態と同様に、給紙トレイ１０１上にセットされた用紙１０２を搬送する、給紙ローラ１０３、搬送ローラ１０４、転写ローラ１０６、定着ローラ１０７、および排紙ローラ１０８を備えている。
【００６３】
また、画像形成装置は、イエロー、マゼンタ、シアン、ブラックのそれぞれに対応する像担持体１１０Ｙ，１１０Ｍ，１１０Ｃ，１１０Ｋ、および転写ベルト１０５を備えている。
【００６４】
転写ベルト１０５上の未定着トナーは、転写ローラ１０６によって用紙１０２へ２次転写され、定着ローラ１０７によって定着され、排紙ローラ１０８で機外に排出される。
【００６５】
また現像ユニットは、各色の現像剤を収容した４つの現像器３０１（イエロー現像器３０１Ｙ、マゼンタ現像器３０１Ｍ、シアン現像器３０１Ｃ、およびブラック現像器３０１Ｋ）から構成される。現像器３０１には、各色の現像剤担持体３０２（イエロー現像剤担持体３０２Ｙ、マゼンタ現像剤担持体３０２Ｍ、シアン現像剤担持体３０２Ｃ、およびブラック現像剤担持体３０２Ｋ）が組み込まれている。
【００６６】
このように、タンデム機は各色の現像器３０１に対応した潜像担持体１１０を持っており、現像ユニットの回転動作が必要ないことを除けば、印字中の動きは第１の実施の形態における画像形成装置に類似するため、詳細な説明は繰り返さない。
【００６７】
なお、モノクロの画像形成装置においては、１色分の現像器３０１Ｋしか備えられていないが、他の構成は図９のものと同じである。
【００６８】
タンデム機やモノクロ機は、一度現像器３０１を本体にセットすると、印字中に現像器３０１は移動しない。このため画像形成装置では、メモリ基板３０３と接点３０４の接触位置を替えるために、接点３０４（またはメモリ基板３０３の電極部）を移動する機構を備える。
【００６９】
たとえばタンデム機やモノクロ機の場合、接点３０４に電圧をかけた状態で接点３０４を移動する。
【００７０】
図１０は、現像器を画像形成装置に装着する前の状態を示す図であり、図１１は、現像器を画像形成装置に装着した状態を示す図である。
【００７１】
図１１に示す検出位置付近では、接点３０４とメモリ基板３０３は接触し、ごみやトナーが付着していない箇所では正常に導通することになる。このような正常に導通する位置で接点３０４を停止させ、メモリ基板の読取を行えば、読取成功の確率が極めて高くなる。
【００７２】
［第３の実施の形態］
【００７３】
本実施の形態における画像形成装置は、再読取の際に、読取可能となった位置を記憶し、次に読取りを行う際（次回電源投入時、ＪＡＭ処理復帰時など）に、標準停止位置（前回の１回目の読取りで読取不可となった位置）ではなく、読取可能位置として記憶された位置にメモリ基板を停止させる。これにより、ごみやトナーの付着した位置を避けることができ、１回目の読取成功確率を向上させることができる。
【００７４】
図１２は、第３の実施の形態における画像形成装置の実行する現像器内のメモリ基板の読取り動作を示す概略図である。
【００７５】
図においては、メモリ基板３０３の電極と、接点３０４との相対的な位置が示されている。
【００７６】
図１２（Ａ）に示されるように、１回目の検出位置（標準停止位置）で検出に失敗したものとする。このとき、図１２（Ｂ）に示されるように、１回目の検出位置から一度、メモリ基板３０３と接点３０４とが接触しない位置になるまで現像ユニット１０９を回転させる。
【００７７】
その後、図１２（Ｃ）に示されるように、接点３０４に電圧をかけ、その状態で図１２（Ｄ）に示されるように、再びメモリ基板３０３と接点３０４とを接触させる。
【００７８】
これにより、検出が可能となる位置で、２回目の検出を行なうことができる。
【００７９】
なお、１回目の検出で失敗したときに、その位置から接点３０４に電圧をかけ、現像ユニット１０９を移動させるようにしても良い。
【００８０】
図１２（Ｄ）のときに、読取可能となった位置と読取不可となった位置をメモリに記憶する。メモリは、ＣＰＵ２０１内のメモリでもよいし、不揮発性のメモリやＲＡＭなどでもよい。
【００８１】
図１２（Ｅ）に示されるように、次に読取りを行う際（次回電源投入時、ＪＡＭ処理復帰時など）に、標準停止位置（前回１回目に読取不可となった位置）で読取りを行なうのではなく、図１２（Ｆ）に示されるように、記憶された位置（変更停止位置）で読取りを行なう。図１２（Ｅ）の位置での読取りは、再度失敗する可能性が高いためである。
【００８２】
これにより、第１回目での読取りを成功させる可能性を上げることができる。
【００８３】
［第４の実施の形態］
【００８４】
図１３は、第４の実施の形態における画像形成装置の実行する現像器内のメモリ基板の読取り動作を示す概略図である。
【００８５】
図においては、メモリ基板３０３の電極と、接点３０４との相対的な位置が示されている。
【００８６】
図１３（Ａ）に示されるように、１回目の検出位置（標準停止位置）で検出に失敗したものとする。このとき、図１３（Ｂ）に示されるように、１回目の検出位置から一度、メモリ基板３０３と接点３０４とが接触しない位置になるまで現像ユニット１０９を回転させる。
【００８７】
その後、図１３（Ｃ）に示されるように、接点３０４に電圧をかけ、その状態で図１３（Ｄ）に示されるように、再びメモリ基板３０３と接点３０４とを接触させる。
【００８８】
これにより、検出が可能となる位置で、２回目の検出を行なうことができる。
【００８９】
なお、１回目の検出で失敗したときに、その位置から接点３０４に電圧をかけ、現像ユニット１０９を移動させるようにしても良い。
【００９０】
図１３（Ｄ）のときに、読取可能となった位置と読取不可となった位置の間のエリアを検出可能範囲としてメモリに記憶する。メモリは、ＣＰＵ２０１内のメモリでもよいし、不揮発性のメモリやＲＡＭなどでもよい。
【００９１】
図１３（Ｅ）に示されるように、次に読取りを行う際（次回電源投入時、ＪＡＭ処理復帰時など）に、標準停止位置（前回１回目に読取不可となった位置）で読取りを行なうのではなく、図１３（Ｆ）に示されるように、記憶されたエリアの略中心位置（変更停止位置）で読取りを行なう。図１３（Ｅ）の位置での読取りは、再度失敗する可能性が高いためである。
【００９２】
これにより、第１回目での読取りを成功させる可能性を上げることができる。
【００９３】
このように読取可能位置と読取不可位置から導かれる読取可能範囲の略中心位置に停止することで、ごみやトナーの付着した位置を避けることができ、さらに停止位置のばらつきが生じても、１回目の読取成功確率を向上させることができる。
【００９４】
［第５の実施の形態］
【００９５】
なお、以下のように画像形成装置を動作させてもよい。
【００９６】
画像形成装置は、１回目の検出を行なう際、メモリ基板３０４の電極が接点３０４の検出位置の手前にあるときから、あらかじめ接点３０４に電圧をかけた状態とする。この状態で、現像ユニット１０９を検出位置まで回転させる。メモリ基板３０３と接点３０４とが接触し、導通があり検出可能となった位置でメモリ基板３０３の読取りを行なう。
【００９７】
このようにすることで、１回目の検出における成功率を上げることができる。
【００９８】
［実施の形態における効果］
【００９９】
以上の構成によると、接点に電圧をかけた状態で読取可能位置を探し、その位置で検出を行うことで、ごみやトナーなどを避けることができ、検出率が向上するという効果がある。
【０１００】
また、検出可能位置や範囲を記憶し、次の読取位置とすることで、１回目の検出率も向上させることができる。
【０１０１】
［その他］
【０１０２】
本発明はＭＦＰ、ファクシミリ装置、複写機などの画像形成装置に対して実施することができる。
【０１０３】
また、上述の実施の形態における処理は、ソフトウエアによって行なっても、ハードウエア回路を用いて行なってもよい。
【０１０４】
また、上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザに提供することにしてもよい。また、プログラムはインターネットなどの通信回線を介して、装置にダウンロードするようにしてもよい。
【０１０５】
なお、上記実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１０６】
【図１】本発明の第１の実施の形態における画像形成装置の構成を示す図である。
【図２】画像形成装置の制御構成の概略を示すブロック図である。
【図３】図１の画像形成装置の現像ユニット１０９の構成を示す図である。
【図４】現像器のメモリ基板の情報の読取りが行なわれている状態を示す図である。
【図５】メモリ基板３０３の斜視図である。
【図６】接点３０４の斜視図である。
【図７】画像形成装置の実行する現像器内のメモリ基板の読取り処理を示すフローチャートである。
【図８】画像形成装置の実行する現像器内のメモリ基板の読取り動作を示す概略図である。
【図９】本発明の第２の実施の形態における画像形成装置の本体の構成を示す図である。
【図１０】現像器を画像形成装置に装着する前の状態を示す図である。
【図１１】現像器を画像形成装置に装着した状態を示す図である。
【図１２】第３の実施の形態における画像形成装置の実行する現像器内のメモリ基板の読取り動作を示す概略図である。
【図１３】第４の実施の形態における画像形成装置の実行する現像器内のメモリ基板の読取り動作を示す概略図である。
【符号の説明】
【０１０７】
１０１  給紙トレイ、１０２  用紙、１０３  給紙ローラ、１０４  搬送ローラ、１０５  転写ベルト、１０６  転写ローラ、１０７  定着ローラ、１０８  排紙ローラ、１０９  現像ユニット、１１０  潜像担持体、２０１  ＣＰＵ、３０１  現像器、３０２  現像剤担持体、３０３  メモリ基板、３０４  接点。
【図１】
0005167722.tif 000002
【図２】
0005167722.tif 000003
【図３】
0005167722.tif 000004
【図４】
0005167722.tif 000005
【図５】
0005167722.tif 000006
【図６】
0005167722.tif 000007
【図７】
0005167722.tif 000008
【図８】
0005167722.tif 000009
【図９】
0005167722.tif 000010
【図１０】
0005167722.tif 000011
【図１１】
0005167722.tif 000012
【図１２】
0005167722.tif 000013
【図１３】
0005167722.tif 000014